(57)【要約】【課題】異なる複数室の個別的な冷気調節を一の動作で行い得る冷気シャッターを提供する。【解決手段】本実施例の冷気シャッターによると、冷凍冷気用開口形成部の開口変化率Ｒｆと冷蔵冷気用開口形成部の開口変化率Ｒｒとが異なるよう設定されるので、双方の開口形成部が連動する機構であるにも関わらず、両室に形成される開口面積の独立的調節が可能となる。このため、当該冷気シャッターでは、一の調整動作でありながら、冷凍冷気用開口形成部と冷蔵冷気用開口形成部とについて、各々異なる開口調整量を与えることが可能となる。【選択図】図３
2014114988.tif 000002
【特許請求の範囲】
【請求項１】
第１の冷気経路が通過する開口面積を調整する第１開口形成部と、第２の冷気経路が通過する開口面積を調整する第２開口形成部と、前記第１開口形成部及び前記第２開口形成部の動作を結合させる連動支援部と、を備え、
前記第１開口形成部が動作して生ずる開口変化率と、前記第２開口形成部が動作して生ずる開口変化率と、が異なる調整域を有することを特徴とする冷気シャッター。
【請求項２】
前記第１開口形成部又は前記第２開口形成部の何れか一方では、開口変化率を零とさせる開口面積固定域が設けられていることを特徴とする請求項１に記載の冷気シャッター。
【請求項３】
前記第１開口形成部の最大開口面積と前記第２開口形成部の最大開口面積とが同時に形成される調整域を有することを特徴とする請求項１又は請求項２に記載の冷気シャッター。
【請求項４】
前記第１開口形成部又は前記第２開口形成部のうち少なくとも何れか一方の開口形成部は、通気口を有する通気口形成部と、前記通気口に対向する外周面の設定領域を回動角度に応じて変化させる筒状体と、を備え、
前記筒状体は、開口面積を形成する開口パターンが前記設定領域に応じて異なる設定とされていることを特徴とする請求項１乃至請求項３の何れか一項に記載の冷気シャッター。
【発明の詳細な説明】
【技術分野】
【０００１】
本発明は、冷気シャッターに関し、特に、異なる２室の通気調整を行う際に用いて好適のものである。
【背景技術】
【０００２】
例えば、実開昭６２−０１７７７１号公報（特許文献１）では、冷凍庫内での冷気供給量を調整する温度調整機構が紹介されている。かかる温度調整機構は、複数のスリットを具備する摺動板がスライドされ、製氷室と収納室との２室へ送り込む冷気供給量の調整を行っている。同公報の図１によれば、温度調整機構の摺動板は、製氷室用のスリットパターンと収容室用のスリットパターンとが一枚の摺動板に形成され、これを摺動させる操作つまみが設けられている。従って、当該温度調整機構は、操作つまみを摺動させる一の動作により、製氷室と収納室の双方の冷気調節が同時に行われる。
【先行技術文献】
【特許文献】
【０００３】
【特許文献１】実開昭６２−０１７７７１号公報
【発明の概要】
【発明が解決しようとする課題】
【０００４】
しかしながら、特許文献１（図１）の技術によれば、摺動板を動かした際に生じる開口面積の開口変化率が両室ともに略同一とされるので、当該摺動板を如何にスライドさせても、一方の開口面積のみを変化させること、一方の開口面積を増加させ且つ他方の開口面積を減少させること、などのような２室独立した通気面積の調整が行えない。
【０００５】
本発明は上記課題に鑑み、異なる複数室の個別的な冷気調節を一の動作で行い得る冷気シャッターの提供を目的とする。
【課題を解決するための手段】
【０００６】
上記課題を解決するため、本発明では次のような冷気シャッターの構成とする。即ち、第１の冷気経路が通過する開口面積を調整する第１開口形成部と、第２の冷気経路が通過する開口面積を調整する第２開口形成部と、前記第１開口形成部及び前記第２開口形成部の動作を結合させる連動支援部とを備え、前記第１開口形成部が動作して生ずる開口変化率と、前記第２開口形成部が動作して生ずる開口変化率とが異なる調整域を有することとする。
【０００７】
好ましくは、前記第１開口形成部又は前記第２開口形成部の何れか一方では、開口変化率を零とさせる開口面積固定域が設けられていることとする。
【０００８】
好ましくは、前記第１開口形成部の最大開口面積と前記第２開口形成部の最大開口面積とが同時に形成される調整域を有することとする。
【０００９】
好ましくは、前記第１開口形成部又は前記第２開口形成部のうち少なくとも何れか一方の開口形成部は、通気口を有する通気口形成部と、前記通気口に対向する外周面の設定領域を回動角度に応じて変化させる筒状体とを備え、前記筒状体は、開口面積を形成する開口パターンが前記設定領域に応じて異なる設定とされていることとする。
【発明の効果】
【００１０】
本発明に係る冷気シャッターによると、第１開口形成部の開口変化率と第２開口形成部の開口変化率とが異なるよう設定されるので、双方の開口形成部が連動する機構であるにも関わらず、両室に形成される開口面積の独立的調節が可能となる。
【図面の簡単な説明】
【００１１】
【図１】冷凍冷蔵庫の断面構造を示す図。
【図２】実施例１に係る開口形成部の構成を示す図。
【図３】実施例１に係る開口形成部の作用を示す図。
【図４】実施例２に係る開口形成部の構成を示す図。
【図５】実施例２に係る筒状体の展開図を示す図。
【発明を実施するための形態】
【００１２】
以下、本発明に係る実施の形態につき図面を参照して具体的に説明する。図１は、本実施の形態に係る冷凍冷蔵庫の断面構造が示されている。図示の如く、冷凍冷蔵庫１００は、本体部１１０に間仕切り部１３０が設けられることで、冷凍室１１０と冷蔵室１２０とを形成させている。この冷凍室１１０及び冷蔵室１２０には、防熱ドアー１１１，１２１が開閉自在に取り付けられている。
【００１３】
冷凍冷蔵庫１００の背面底部には、コンプレッサ室２００が設けられている。当該コンプレッサ室２００には、冷媒を循環させる為のコンプレッサ，エバポレータの除霜水を排水させるドレイン管等が格納されている。
【００１４】
冷凍室１１０は、ダクト壁１１２が設けられ、冷凍貯蔵室１１０ａと冷却機収容室１１０ｂとに分けられる。このうち、冷凍貯蔵室１１０ａには、冷凍庫内温度計２１が配備され、冷却機収容室１１０ｂには、エバポレータ１６と庫内ファン１７とが配備されている。上述したダクト壁１１２は、冷凍冷気用通気口１１２ａが形成され、エバポレータ１６の冷気を取り込ませている。また、冷蔵室１２０は、スリット１２２ａを設けた冷気吐出口１２２が設けられ、ダクト１４０を介して冷気が取り込まれる。このダクト１４０には、冷蔵冷気用通気口１７０ａが設けられている。また、冷蔵室１２０には、冷蔵庫内温度計２２が適宜設けられている。
【００１５】
間仕切り部１３０には、流入口１３１及び１３２が設けられている。このうち、冷凍室側の流入口１３１は、上側の連通路を介して冷却機収容室１１０ｂの出口開口部へ連通されている。また、冷蔵室側の流入口１３２についても、これと同様の連通路が形成されている。以下、実施例について説明する。
【実施例１】
【００１６】
図２（ａ）に示す如く、本実施例に係る冷凍冷蔵庫１００は、冷凍冷気用通気口１１２ａと後述する冷凍冷気用制御口１６２とによって冷凍冷気用開口形成部（第１開口形成部）が構成される。また、冷蔵冷気用通気口１７０ａと後述する冷蔵冷気用制御口１６４とによって冷蔵冷気用開口形成部（第２開口形成部）が構成される。
【００１７】
そして、冷凍冷蔵庫１００では、エバポレータ１６→冷凍冷気用開口形成部→冷凍貯蔵室１１０ａ→間仕切り部１３０の連通路（冷凍室側），という冷凍冷気経路（第１の冷気経路）に沿って冷凍室１１０の冷気が循環する。一方、冷蔵室の冷気は、エバポレータ１６→ダクト（前段）１４０→冷蔵冷気用開口形成部→ダクト１４０（後段）→スリット１２２ａ→冷蔵室１２０→間仕切り部１３０の連通路（冷蔵室側），という冷蔵冷気経路（第２の通気経路）を循環することとなる。
【００１８】
ダクト１４０の中程には、摺動アングル１６０が配置されている。当該摺動アングル１６０は、Ｌ字型の板状体とされ（図２ｂ参照）、双方の構造面１６１，１６３に矩形開口が形成されている。当該矩形開口のうち一方は冷凍冷気用制御口１６２とされ、他方は冷蔵冷気用制御口１６４とされる。
【００１９】
また、摺動アングル１６０が用いられる場合、構造面１６１と構造面１６３とを角部１６５で一体的に結合させているところ、冷凍冷気用制御口１６２がスライドされればこれに連動して冷蔵冷気用制御口１６４もスライド動作する。以下、双方の制御口の動作を結合させる部位（本実施例の場合、角部１６５を指す）を、連動支援部と呼ぶこととする。
【００２０】
かかる摺動アングル１４０がダクト内へ設置されると、冷凍冷気用制御口１６２が冷凍冷気用通気口１１２ａに対面し、冷蔵冷気用制御口１６４が冷蔵冷気用通気口１７０ａに対面するよう配置される。斯くの如く配置されることで、冷凍冷気用開口形成部と冷蔵冷気用開口形成部とが構成される。
【００２１】
冷凍冷気用開口形成部では、摺動アングル１６０がスライドすると、冷凍冷気を通過させる開口面積（以下、冷凍冷気用開口面積）が変化し調整されることとなる。また、冷蔵冷気用開口形成部にあっても、摺動アングル１６０の調節動作に応じて、冷蔵冷気を通過させる開口面積（以下、冷蔵冷気開口面積）が変化し調節される。
【００２２】
本実施例に係る開口形成部では、摺動アングル１６０のスライド動作によって、この双方の開口面積が独立して変化することとなる。これについて、図３を参照にて具体的に説明する。尚、同図では、紙面奥手に摺動アングル１６０が配置されており、紙面手前側にダクト壁１１２とスリット壁１７０とが配置されるよう図示されている。同図では、説明の便宜上、これらが一平面に現すことができるよう各面の展開図が示されているに過ぎず、実際位は摺動アングル１６０がＬ字状であることに変わりない。
【００２３】
通気口１１２ａは、手前に現れるので、これが実線によって図示されている。また、通気口１７０ａは、奥手側に配置されるので、ダクト壁１１２又はスリット壁１７０によって隠される開口エッジが点線で図示されている。そして、制御口と通気口とが重なり合う領域は、そこに遮蔽物が存在しないので、この領域を規定する部位が冷気用の開口とされる。以下、この開口が示す面積を開口面積と呼ぶ。
【００２４】
また、同図には、ダクト壁１１２に設けられた目盛（点１〜点１１）と、摺動アングル１６０に刻印されたインジケータＡＬが示されている。当該インジケータＡＬは、構造部１６３に刻印されているものとし、これが摺動アングル１６０と一体となって動作する。また、これらメモリ（点１〜点１１）及びインジケータＡＬは、説明便宜のため示されているのであって、本実施例にとって必須の構成ではない。
【００２５】
尚、目盛点の１目盛分に相当するスライド距離（ｓｔ）は、制御口１６２の長手全長の「１／７」に相当し、これが同じく、通気口１７０ａの全長長手の「１／３」に相当することする。
【００２６】
インジケータＡＬが目盛点１にセットされている場合（図３ａ参照）、冷凍冷気用開口形成部は、通気口１１２ａが制御口１６２の全長を開放するよう配置されるため、このときの開度Ｓ１が最大開度（１００％）とされる。一方、冷蔵冷気用開口形成部は、通気口１７０ａと制御口１６４とが重なる領域が無いため、このときの開度Ｓ２が０％とされる。
【００２７】
インジケータＡＬが目盛点２にセットされる場合（図３ｂ参照）、冷凍冷気用開口形成部では、開度Ｓ１に変わりはなく最大開度（１００％）とされる。一方、冷蔵冷気用開口形成部では、通気口１７０ａの全長のうち「１／３」について開口が形成され、開度Ｓ２が３３％とされる。ここで、摺動アングルの調整ストロークに対する開度（開口面積）の変化量を開口変化率とすると、冷凍冷気用の開口変化率Ｒｆは、摺動アングル１６０が目盛点１から目盛点２へ動作するとき零であることが解る。一方、冷蔵冷気用の開口変化率Ｒｒは、３３（％／ｓｔ）であることが解る。
【００２８】
このように、インジケータＡＬが目盛点１から目盛点２へ変化する調整域では、冷凍冷気用の開口変化率Ｒｆは一定とされ、一方、冷蔵冷気用の開口変化率Ｒｒは増加方向に３３（％／ｓｔ）とされる。
【００２９】
また、インジケータＡＬが目盛点３にセットされる場面では（図３ｃ参照）、先と同様、冷凍冷気用の開口変化率Ｒｆは零とされ、冷蔵冷気用の開口変化率Ｒｒは３３（％／ｓｔ）とされる。即ち、冷凍冷気用開口面積Ｓ１が最大値で一定の状態を保つ中、冷蔵冷気用開口面積Ｓ２が増加する。
【００３０】
更に、スライド操作が進みインジケータＡＬが目盛点５にセットされる場面では（図３ｄ参照）、冷凍冷気用の開口変化率Ｒｆは減少方向に１４（％／ｓｔ）とされ、冷蔵冷気用の開口変化率Ｒｒは零とされる。即ち、冷凍冷気用開口面積Ｓ１が減少を開始する中、冷蔵冷気用開口面積Ｓ２が最大値で一定に維持される。
【００３１】
そして、インジケータＡＬが目盛点１１にセットされる場面までは（図３ｅ参照）、冷凍冷気用開口面積のみが減少を続け、インジケータＡＬが目盛点１１にセットされる時点で（図３ｆ参照）、冷凍冷気用開口面積が消失する。このとき、冷蔵冷気用開口面積Ｓ２は、最大値（１００％）のままである。
【００３２】
上述の如く、本実施例に係る冷気シャッターによると、所定の調整域では、冷凍冷気用開口形成部の開口変化率Ｒｆと冷蔵冷気用開口形成部の開口変化率Ｒｒとが異なるよう設定されるので、双方の開口形成部が連動する機構であるにも関わらず、両室に形成される開口面積の独立的調節が可能となる。
【００３３】
このため、当該冷気シャッターでは、一の調整動作でありながら、冷凍冷気用開口形成部と冷蔵冷気用開口形成部とについて、各々異なる開口調整量を与えることが可能となる。従って、一方の開口面積を増加させ、他方の開口面積を低下させるといった動作も可能となる。
【００３４】
また、本実施例では、所定の調整域（開口面積固定域）において、一方の開口変化率を零とさせ他方の開口面積に変化を与えている。このような設定が可能となることで、例えば、冷蔵室側への冷気経路を断ち、冷凍室側を急速に冷却させることが可能となり、その際の冷凍室への冷気量制御をも実施させることが可能となる（冷蔵冷気の調整についても同様）。また、かかる冷凍冷気の調整を行った上で、冷蔵冷気を徐々に開放させるといったきめ細かい調整をも実現できる。
【００３５】
また、本実施例では、所定の調整域において、冷凍冷気用開口形成部の最大開口面積Ｓ１ｍａｘと冷蔵冷気用開口形成部の最大開口面積Ｓ２ｍａｘとが同時に形成される。例えば、冷気の７０％を冷凍室へ供給し３０％を冷蔵室へ供給することを標準とする装置では、最大開口面積Ｓ１ｍａｘと最大開口面積Ｓ２ｍａｘとの比を「７：３」として設定することで、損失を少なく冷気を供給させることが可能となり、冷却速度の低下を回避できる。
【００３６】
尚、上述した実施例では、摺動アングルの角部が連動支援部とされているが、当該連動支援部は、かかる形態に限定されるものではない。例えば、連動支援部は、リンク機構から成るものであっても良く、歯車を組合せた機構であっても良い。かかる連動支点部は、現時点における技術常識に基づいて適宜置き換えが可能である。
【実施例２】
【００３７】
本実施例では、冷凍冷気用開口形成部と冷蔵冷気用開口形成部との変更例を紹介する。図４に示す如く、双方の開口形成部は、内部が空洞とされた多面体（即ち、筒状体）と、当該多面体の表面に対面して配置される通気口形成部とによって構成される。
【００３８】
冷凍冷気用開口形成部は、外周面に第１面２６１（１）から第８面２６１（８）までが形成された筒状体２６１と、当該筒状体２６１の外周面に相対して配置されるダクト壁１１２（通気口形成部）とから成る。ダクト壁１１２には通気口１１２が形成され、筒状体２６１には胴体軸について回動させる軸受部が設けられている。そして、筒状体２６１の外周面は、通気口１１２ａに対面するよう配置される。以下、通気口１１２ａに向き合う外周面の領域を、設定領域と呼ぶ。尚、本実施例では、筒状体２６１と通気口１１２ａとの間の隙間を埋めるよう、適宜の介在物が設けられていることとする。
【００３９】
冷蔵冷気用開口形成部は、外周面に第１面２６３（１）から第４面２６３（４）までが形成された筒状体２６３と、変形自在のシール板ａ１，ａ２によって通気口が形成される（通気口形成部）。このシール板ａ１とａ２との間（通気口）には、回動可能とされた筒状体２６３の外周面が対向し、其の一部領域（設定領域）が露出する。このように、冷蔵冷気用開口形成部は、通気口を形成する構造・材質等が異なるものの、冷凍冷気用開口形成部と同等の構成を具備している。
【００４０】
図５（ａ）は、冷凍冷気用の筒状体２６１の展開図が示されている。当該筒状体２６１は、開口パターンの異なる８面から構成される。第１面２６１（１）は、孔状（スリットでも良い）の開口要素Ｈｎが７か所設けられ、これが設定領域とされると開度１００％を設定する。また、第２面２６１（２）から第３面２６１（８）へ変化する毎に、開口要素Ｈｎが１個ずつ少なく設定される。従って、第２面２６１（２）では開度８６％を設定させ、第３面２６１（３）では開度６３％を設定させ、第４面２６１（４）では開度５７％を設定させ、第５面２６１（５）では開度４３％を設定させ、第６面２６１（６）では開度２９％を設定させ、第７面２６１（７）では開度１７％を設定させ、第８面２６１（８）では開度０％を設定させる。
【００４１】
同様に、冷蔵冷気用の筒状体２６３は、４種類の開口パターンを設定できるよう、各面に開口要素Ｈｎが形成されている。即ち、第１面２６３（１）では開度１００％とされ、第２面２６３（２）では開度６７％とされ、第３面２６３（３）では開度３３％とされ、第４面２６３（４）では開度０％とされる。
【００４２】
かかる筒状体２６１，２６３を具備する冷気シャッターでは、各々の回動角度に応じて、開度設定を行う。そして、冷気がダクト内へ投入されると、この開度に応じた冷気を冷凍室及び冷蔵室へ各々供給させることとなる。
【００４３】
また、かかる筒状体の各々を連動支援部によって動作させることにより、一の動作で双方の開口設定を行うことが可能となる。この場合の開口設定は、好適な組み合わせとなるように、開口パターンの組合せを実施例１のように適宜に設定すると良い。
【００４４】
また、本実施例では、一室に対して各々一本の筒状体を用いているが、一室につき複数段の筒状体を配列させても良い。この場合、複数段の筒状体の回動角度を各々個別に設定するようにすれば、より極め細やかな開度設定が可能となる。
【００４５】
加えて、本実施例では、筒状体を用いて開口パターンを変更させるようにしているが、この開口変化手段について種々の置換えが考えられ得る。例えば、蛇腹状の筒状体を伸縮させて開度変更させる開口変化手段としても良く、弾性変形する筒状体にスリット等の開口要素を設けて弾性変化を与えることで開口面積の調節を行っても良い。
【００４６】
尚、かかる冷気シャッターは、特に図示されていないが、調整つまみ等を設けて手動で操作させるようにしても良く、この他、モータ等の往復運動を行うアクチュエータを用いて冷気開口を自動制御させても良い。
【符号の説明】
【００４７】
１００  冷凍冷蔵庫，    １１２ａ及び１６２  冷凍室用開口形成部（第１開口形成部），１７０ａ及び１６４  冷蔵室用開口形成部（第２開口形成部），    １６５  連動支援部。
【図１】
2014114988.tif 000003
【図２】
2014114988.tif 000004
【図３】
2014114988.tif 000005
【図４】
2014114988.tif 000006
【図５】
2014114988.tif 000007